(57)【要約】【課題】収容された用紙が変形することによる給紙時の負荷を抑制するとともに、収容された用紙を容易に取り出すことができる給紙装置を提供する。【解決手段】画像形成装置本体２０１に対して装着状態ＰＡ１と引出状態ＰＡ２とを切り換え可能である給紙カセット１０を備えた給紙装置１００であって、給紙カセット１０は、収容部２０に収容された用紙Ｐの端部を上昇させるように押動する押動状態ＰＢ１と、用紙Ｐの端部を上昇させないように退避する退避状態ＰＢ２とを切り換え可能である押動部３０と、を備える。給紙カセット１０が引出状態ＰＡ２にある場合において、押動部３０は、退避状態ＰＢ２から押動状態ＰＢ１に切り替え可能であり、給紙カセット１０が引出状態ＰＡ２から装着状態ＰＡ１に移行されることにより、押動部３０は、押動状態ＰＢ１から退避状態ＰＢ２に切り替えられる。【選択図】図４
2020015593.tif 000002
【特許請求の範囲】
【請求項１】
画像形成装置本体に設けられる給紙カセット装着部に対して装着される装着状態と、前記給紙カセット装着部から引き出された引出状態と、を切り換え可能である給紙カセットを備えた給紙装置であって、
前記装着状態において前記給紙カセットに収容された用紙が給紙される方向を給紙方向として、
前記給紙カセットは、
用紙を収容する収容部と、
前記収容部に収容された用紙の端部のうち、前記給紙方向に対して前方側の端部を上昇させる給紙状態と、前記給紙方向に対して前方側の端部を上昇させない非給紙状態とを切り換え可能である可動載置板と、
前記収容部に収容された用紙の端部を上昇させるように押動する押動状態と、前記収容部に収容された用紙の端部を上昇させないように退避する退避状態とを切り換え可能である押動部と、
を備え、
前記引出状態において、前記非給紙状態の前記可動載置板を操作することにより、前記押動部は、前記退避状態から前記押動状態に切り替えられ、
前記給紙カセットが前記引出状態から前記装着状態に移行されることにより、前記押動部は、前記押動状態から前記退避状態に切り替えられることを特徴とする、
給紙装置。
【請求項２】
前記給紙カセットを前記装着状態から前記引出状態に移動させる方向を引出方向とし、前記収容部に収容された用紙の端部のうち、前記給紙方向に対して後方側の端部を第１端部とし、前記引出方向に対して前方側の端部を第２端部として、
前記押動部は、
前記押動状態において、前記第１端部、および／または前記第２端部を上昇させる、
請求項１に記載の給紙装置。
【請求項３】
前記押動部は、
前記給紙カセットに対して回転可能に設けられる回動部を有し、
前記回動部は、
用紙に接触する作用部と、
前記可動載置板に接触する係合部と、
前記給紙カセットに対して接続される回転支持部と、
を有し、
前記給紙カセットが前記引出状態である場合において、前記可動載置板が下方に向けて押動されることにより、前記可動載置板が前記係合部に接触して前記回動部が回転するとともに、前記作用部が用紙に接触した状態となって、前記押動部は、前記退避状態から前記押動状態に切り替えられる、
請求項１または請求項２に記載の給紙装置。
【請求項４】
前記押動部は、
前記押動状態における前記回動部の姿勢を保持することにより、前記押動状態を保持する保持状態と、前記保持状態を解除して、前記回動部を前記押動状態から前記退避状態における姿勢に変化させる解除状態と、を切り替え可能である押動保持部をさらに有する、
請求項３に記載の給紙装置。
【請求項５】
前記押動部は、
前記回動部の姿勢が前記退避状態になるように付勢する付勢部を有し、
前記給紙カセットが前記引出状態から前記装着状態に移行されることにより、前記押動保持部は、前記保持状態から前記解除状態に切り替えられ、前記回動部の姿勢は、前記付勢部の付勢力により前記押動状態における姿勢から前記退避状態における姿勢に切り替えられる、
請求項４に記載の給紙装置。
【請求項６】
前記収容部は、
前記退避状態の前記押動部が収容される開口部を有する、
請求項１から請求項５のいずれか１項に記載の給紙装置。
【請求項７】
前記開口部は、用紙が収容される収容領域の外側まで形成されている、
請求項６に記載の給紙装置。
【請求項８】
請求項１から請求項７のいずれか１項に記載された給紙装置を備えることを特徴とする画像形成装置。
【発明の詳細な説明】
【技術分野】
【０００１】
本発明は、給紙カセットを備えた給紙装置、および給紙装置を備えた画像形成装置に関する。
【背景技術】
【０００２】
画像形成装置に設けられる給紙装置として、給紙カセットを備えた給紙装置が知られている。給紙カセットは、画像形成装置本体の給紙カセット装着部に対して装着される装着状態と、給紙カセット装着部から引き出された引出状態とを切り換えることが可能である。装着状態は給紙カセットから画像形成装置本体への給紙が可能な状態であり、引出状態では用紙の補充や交換が可能である。
【０００３】
従来の給紙カセットでは、収容された用紙を交換する際など用紙を取り出す場合に、用紙を取り出し易くするために、給紙カセットの底面に凹部を設け、用紙の下方に手指を入れるための空間を形成している。しかしながら、給紙カセットに長時間保管された用紙が底面の凹部によって変形してしまい、給紙時に負荷となって不具合が生じる場合がある。
【０００４】
特許文献１には、給紙カセットの蓋を回転させることで用紙持ち上げ部材を連動させ、給紙カセットに収容された用紙の下方に手指を入れるための空間を形成する機構が開示されている。
【先行技術文献】
【特許文献】
【０００５】
【特許文献１】特開２０００−３２７１４４号公報
【発明の概要】
【発明が解決しようとする課題】
【０００６】
しかしながら、特許文献１に開示された技術では、給紙カセットに用紙を収容させる際に、蓋と用紙持ち上げ部材との間に用紙を挿入する必要がある。このため、給紙カセットに用紙を収容させにくいという問題がある。また、収容された用紙を交換する際に、収容された用紙を取り出しにくいという問題もある。
【０００７】
本発明の目的は、収容された用紙が変形することによる給紙時の負荷を抑制するとともに、収容された用紙を容易に取り出すことができる給紙装置および画像形成装置を提供することにある。
【課題を解決するための手段】
【０００８】
本発明の給紙装置は、
画像形成装置本体に設けられる給紙カセット装着部に対して装着される装着状態と、前記給紙カセット装着部から引き出された引出状態と、を切り換え可能である給紙カセットを備えた給紙装置であって、
前記装着状態において前記給紙カセットに収容された用紙が給紙される方向を給紙方向として、
前記給紙カセットは、
用紙を収容する収容部と、
前記収容部に収容された用紙の端部のうち、前記給紙方向に対して前方側の端部を上昇させる給紙状態と、前記給紙方向に対して前方側の端部を上昇させない非給紙状態とを切り換え可能である可動載置板と、
前記収容部に収容された用紙の端部を上昇させるように押動する押動状態と、前記収容部に収容された用紙の端部を上昇させないように退避する退避状態とを切り換え可能である押動部と、
を備え、
前記引出状態において、前記非給紙状態の前記可動載置板を操作することにより、前記押動部は、前記退避状態から前記押動状態に切り替えられ、
前記給紙カセットが前記引出状態から前記装着状態に移行されることにより、前記押動部は、前記押動状態から前記退避状態に切り替えられることを特徴とする（第１の構成）。
【０００９】
上記構成によれば、給紙カセットが引出状態にある場合において、非給紙状態の可動載置板を操作することにより、押動部は、退避状態から押動状態に切り替えられ、用紙の端部を上昇させるため、収容された用紙を取り出す際に用紙の下方に手指を容易に入れることができる。また、給紙カセットが引出状態から装着状態に移行されることにより、押動部は、押動状態から退避状態に切り替えられ、用紙の端部を上昇させない状態になるため、用紙の変形を抑制することができる。このため、収容された用紙が変形することによる給紙時の負荷を抑制するとともに、収容された用紙を容易に取り出すことができる。
【００１０】
上記第１の構成において、
前記給紙カセットを前記装着状態から前記引出状態に移動させる方向を引出方向とし、前記収容部に収容された用紙の端部のうち、前記給紙方向に対して後方側の端部を第１端部とし、前記引出方向に対して前方側の端部を第２端部として、
前記押動部は、
前記押動状態において、前記第１端部、および／または前記第２端部を上昇させるようにしてもよい（第２の構成）。
【００１１】
上記構成によれば、押動部は、押動状態において、用紙の第１端部、および／または第２端部を上昇させる。このため、給紙カセットに収容された用紙を取り出す際に、用紙の下方に手指を入れやすい部分を上昇させることができる。
【００１２】
上記第１または第２の構成において、
前記押動部は、
前記給紙カセットに対して回転可能に設けられる回動部を有し、
前記回動部は、
用紙に接触する作用部と、
前記可動載置板に接触する係合部と、
前記給紙カセットに対して接続される回転支持部と、
を有し、
前記給紙カセットが前記引出状態である場合において、前記可動載置板が下方に向けて押動されることにより、前記可動載置板が前記係合部に接触して前記回動部が回転するとともに、前記作用部が用紙に接触した状態となって、前記押動部は、前記退避状態から前記押動状態に切り替えられるようにしてもよい（第３の構成）。
【００１３】
上記構成によれば、可動載置板を押動操作することにより、押動部を退避状態から押動状態に切り替えることができる。このため、簡単な操作で用紙の端部を上昇させることができる。
【００１４】
上記第３の構成において、
前記押動部は、
前記押動状態における前記回動部の姿勢を保持することによって前記押動状態を保持する保持状態と、前記保持状態を解除して、前記回動部の姿勢を前記押動状態における姿勢から前記退避状態における姿勢に変化させる解除状態と、を切り替え可能である押動保持部をさらに有してもよい（第４の構成）。
【００１５】
上記構成によれば、押動状態における回動部の姿勢を押動保持部によって保持させることができるため、押動部の押動状態を維持することができる。このため、用紙の端部を上昇させた状態で容易に用紙を取り出すことができる。
【００１６】
上記第４の構成において、
前記押動部は、
前記回動部の姿勢が前記退避状態になるように付勢する付勢部を有し、
前記給紙カセットが前記引出状態から前記装着状態に移行されることにより、前記押動保持部は、前記保持状態から前記解除状態に切り替えられ、前記回動部の姿勢は、前記付勢部の付勢力により前記押動状態における姿勢から前記退避状態における姿勢に切り替えられるようにしてもよい（第５の構成）。
【００１７】
上記構成によれば、給紙カセットを引出状態から装着状態に移行させることにより、押動部を押動状態から退避状態に切り替えることができる。このため、用紙を取り出して交換等を行った後、給紙カセットを引出状態から装着状態に移行させることで、押動部を押動状態から退避状態に切り替えることができる。
【００１８】
上記第１から第５のいずれかの構成において、
前記収容部は、
前記退避状態の前記押動部が収容される開口部を有してもよい（第６の構成）。
【００１９】
上記構成によれば、退避状態の押動部は開口部に収容されるため、押動部と用紙との接触を抑制することにより、用紙の変形を抑制することができる。
【００２０】
上記第６の構成において、
前記開口部は、用紙が収容される収容領域の外側まで形成されていてもよい（第７の構成）。
【００２１】
上記構成によれば、開口部は、用紙が収容される収容領域の外側まで形成されているため、用紙を取り出す際に手指を用紙の下方に入れることができる。このため、容易に用紙を取り出すことができる。
【００２２】
本発明の画像形成装置は、上記第１から第７のいずれかの構成の給紙装置を備える（第８の構成）。
【００２３】
上記構成によれば、給紙カセットが引出状態にある場合において、非給紙状態の可動載置板を操作することにより、押動部は、退避状態から押動状態に切り替えられ、用紙の端部を上昇させるため、収容された用紙を取り出す際に用紙の下方に手指を容易に入れることができる。また、給紙カセットが引出状態から装着状態に移行されることにより、押動部は、押動状態から退避状態に切り替えられ、用紙の端部を上昇させない状態になるため、用紙の変形を抑制することができる。このため、収容された用紙が変形することによる給紙時の負荷を抑制するとともに、収容された用紙を容易に取り出すことができる。
【発明の効果】
【００２４】
本発明の給紙装置および画像形成装置によれば、収容された用紙が変形することによる給紙時の負荷を抑制するとともに、収容された用紙を容易に取り出すことができる。
【図面の簡単な説明】
【００２５】
【図１】実施形態１に係る給紙装置を適用した画像形成装置の全体構成を示す斜視図である。
【図２】図１のＡ―Ａ線における給紙カセット装着部および給紙カセットの平面断面図である。
【図３】図１のＡ―Ａ線における給紙カセット装着部および給紙カセットの平面断面図である。
【図４】図２のＢ―Ｂ線における断面図である。
【図５】図２のＣ―Ｃ線における断面図である。
【図６】（Ａ）〜（Ｄ）図２のＢ―Ｂ線における断面図（Ｅ）図３のＤ―Ｄ線における断面図である。
【図７】（Ａ）〜（Ｄ）図２のＣ―Ｃ線における断面図（Ｅ）図３のＥ―Ｅ線における断面図である。
【図８】（Ａ）〜（Ｅ）図７における押動保持部および載置板保持部付近を拡大した断面図である。
【図９】実施形態２に係る給紙装置の給紙カセット装着部および給紙カセットの平面断面図である。
【図１０】実施形態３に係る給紙装置の給紙カセット装着部および給紙カセットの平面断面図である。
【発明を実施するための形態】
【００２６】
〔実施形態１〕
以下、本発明の実施の形態を図面に基づいて説明する。図１は、実施形態１に係る給紙装置１００を適用した画像形成装置２００の全体構成を示す斜視図である。画像形成装置２００は、画像形成装置本体２０１、原稿台２０２、スキャナ部２０３、排紙トレイ２０５、給紙カセット装着部２０６、および給紙装置１００を備えている。
【００２７】
画像形成装置本体２０１は、画像形成装置２００の本体部分である。原稿台２０２は、画像形成装置本体２０１の上面に設置されたガラス体である。スキャナ部２０３は、原稿台２０２の下方に設けられており、原稿台２０２上に置かれた原稿の画像を読み取る。画像形成装置本体２０１の内部には、画像形成部が設けられている。スキャナ部２０３で読み取られた画像データは画像形成部に入力され、画像データに基づく画像が電子写真画像形成法によって用紙の表面に形成される。排紙トレイ２０５には、画像形成装置本体２０１の上部中央（スキャナ部２０３の下方位置）に設置されており、画像が形成された用紙が排出される。
【００２８】
本実施形態の給紙装置１００は排紙トレイ２０５の下方に設けられている。給紙装置１００には上下２段の給紙カセット装着部２０６が設けられている。各給紙カセット装着部２０６に、本発明の給紙装置１００を構成する給紙カセット１０が装着されている。
【００２９】
給紙カセット１０は、装着状態ＰＡ１（図３参照）と引出状態ＰＡ２（図２参照）とを切り換え可能である。装着状態ＰＡ１は、給紙カセット１０が給紙カセット装着部２０６に対して装着された状態である。引出状態ＰＡ２は、給紙カセット１０が給紙カセット装着部２０６から引き出された状態である。図１に示した給紙カセット１０は、引出状態ＰＡ２であり、給紙カセット装着部２０６に対して図示手前側から奥側に向けて押し込むことによって装着状態ＰＡ１に切り換えることができる。給紙カセット１０を装着状態ＰＡ１から引出状態ＰＡ２に移動させる方向を引出方向Ｄ１とし、給紙カセット１０を引出状態ＰＡ２から装着状態ＰＡ１に移動させる方向を装着方向Ｄ２とする。
【００３０】
次に、給紙装置１００について詳細に説明する。図２および図３は、図１のＡ―Ａ線における給紙カセット装着部２０６および給紙カセット１０の平面断面図である。図２は、給紙カセット装着部２０６から給紙カセット１０が引き出された引出状態ＰＡ２を示しており、図３は、給紙カセット装着部２０６に給紙カセット１０が装着された装着状態ＰＡ１を示している。
【００３１】
図２および図３に示すように、給紙カセット１０は、給紙カセット本体１１、収容部２０、可動載置板２１、および押動部３０を備えている。
【００３２】
給紙カセット本体１１は、給紙カセット１０の基体をなす部分である。
【００３３】
収容部２０は、給紙カセット本体１１の内側に形成されている。収容部２０には、用紙Ｐが収容される。装着状態ＰＡ１において、収容部２０に収容された用紙Ｐは画像形成装置本体２０１に設けられたピックアップローラ２２１によって引き出され、給紙ローラ２２２によってシート搬送路（図示せず）に搬送される。シート搬送路に搬送された用紙Ｐの表面には、画像形成部において画像が形成される。装着状態ＰＡ１において給紙カセット１０に収容された用紙Ｐが給紙される方向を給紙方向Ｄ３とする。
【００３４】
また、収容部２０に収容された用紙Ｐの端部のうち、給紙方向Ｄ３に対して後方側の端部を第１端部Ｅ１とし、引出方向Ｄ１に対して前方側の端部を第２端部Ｅ２とする。収容部２０に収容された用紙Ｐの端部のうち、給紙方向Ｄ３に対して前方側の端部を第３端部Ｅ３とする。なお、収容部２０には、用紙ガイドが設けられている（図示せず）。用紙ガイドは、収容部２０に各種サイズ（例えばＡ４、Ａ３、Ｂ５、Ｂ４など）の用紙Ｐを収容できるように位置を調整することができる。
【００３５】
可動載置板２１は、可動載置板２１に設けた可動支点２５を中心に可動し、収容部２０に収容された用紙Ｐの第３端部Ｅ３を上方に押し上げて、画像形成装置本体２０１に設けられたピックアップローラ２２１に用紙Ｐを接触させる部材である。ピックアップローラ２２１は、画像形成装置本体２０１に対して昇降可能に設けられている。給紙カセット１０が給紙カセット装着部２０６に装着された装着状態ＰＡ１になると、ピックアップローラ２２１は下降して可動載置板２１によって持ち上げられた用紙Ｐの第３端部Ｅ３に接触する。また、給紙カセット１０が給紙カセット装着部２０６から引き出された引出状態ＰＡ２になると、ピックアップローラ２２１は上昇して給紙カセット１０に干渉しない位置に退避する。
【００３６】
押動部３０は、収容された用紙Ｐを取り出しやすくするため、収容部２０に収容された用紙Ｐの第１端部Ｅ１付近を押動して、収容部２０の底部２３に対して上昇させるように構成されている。収容部２０の底部２３には、押動部３０を出没させるための開口部２７Ａ、２７Ｂおよび２７Ｃが形成されている（図４参照）。押動部３０の構成については後述する。
【００３７】
図４は、図２の引出状態ＰＡ２にある給紙装置１００のＢ―Ｂ線における断面図である。図５は、図２の引出状態ＰＡ２にある給紙装置１００のＣ―Ｃ線における断面図である。図４および図５に示すように、押動部３０は、回動部３１および押動保持部３５を有している。
【００３８】
図４に示すように、回動部３１は、給紙カセット１０に対して回転可能に設けられている。回動部３１は、回動アーム３１０、作用部３１１、係合部３１３、回転支持部３１５および付勢部３１７を有している。
【００３９】
回動アーム３１０は、給紙方向Ｄ３に対して平行に２本配置されている（図２参照）。２本の回動アーム３１０は、連結部３１２（図２参照）によって連結されている。
【００４０】
作用部３１１は、回動アーム３１０の端部のうち、給紙方向Ｄ３に対して後方側の端部に形成されている。作用部３１１は、用紙Ｐに接触する部分である。
【００４１】
係合部３１３は、回動アーム３１０の端部のうち、給紙方向Ｄ３に対して前方側の端部に形成されている。係合部３１３は、可動載置板２１に接触する部分である。
【００４２】
回転支持部３１５は、作用部３１１と係合部３１３との間に配置されている。回転支持部３１５は、回動アーム３１０を給紙カセット１０に対して回転可能に接続している。
【００４３】
付勢部３１７は、回動アーム３１０と給紙カセット１０との間に取り付けられている。付勢部３１７は、作用部３１１を用紙Ｐから退避させて退避状態ＰＢ２となるように、回動アーム３１０を第１方向Ｒ１に向けて回転させるように付勢している。
【００４４】
図５に示すように、押動保持部３５は、回動アーム３１０の姿勢を保持する保持状態ＰＤ１（図７（Ｃ）（Ｄ）参照）と、回動アーム３１０の姿勢を保持しない解除状態ＰＤ２（図７（Ａ）（Ｂ）（Ｅ）参照）とに切り替えられるように構成されている。押動保持部３５は、押動保持アーム３５１、押動係合部３５３、付勢部３５５を有している。
【００４５】
押動保持アーム３５１は、給紙カセット１０の装着方向Ｄ２に対して前方側の端部において、引出方向Ｄ１および装着方向Ｄ２に進退可能に設けられている。
【００４６】
押動係合部３５３は、押動保持アーム３５１の端部に形成されている。押動係合部３５３は、回動アーム３１０に対して係合および離脱が可能である。
【００４７】
付勢部３５５は、押動保持アーム３５１を装着方向Ｄ２に対して前方側に付勢している。
【００４８】
図４および図５に示すように、押動部３０は、可動載置板２１の下方に設けられている。可動載置板２１は、付勢部２１１により、給紙方向Ｄ３に対して前方側の端部が可動支点２５を中心として上昇する方向に付勢されている。可動載置板２１は、用紙Ｐの第３端部Ｅ３を収容部２０の底部２３に対して上昇させるように押動する給紙状態ＰＣ１（図６（Ｅ）参照）と、第３端部Ｅ３を上昇させない状態である非給紙状態ＰＣ２（図６（Ａ）参照）とに切り換え可能である。
【００４９】
また、給紙カセット１０には、載置板保持部３７が設けられている。載置板保持部３７は、可動載置板２１の姿勢を保持する保持状態ＰＥ１（図７（Ａ）〜（Ｄ）参照）と、可動載置板２１の姿勢を保持しない解除状態ＰＥ２（図７（Ｅ）参照）とに切り替え可能に構成されている。載置板保持部３７は、載置板保持アーム３７１、載置板係合部３７３、付勢部３７５を有している。
【００５０】
載置板保持アーム３７１は、給紙カセット１０の装着方向Ｄ２に対して前方側の端部において、引出方向Ｄ１および装着方向Ｄ２に進退可能に設けられている。
【００５１】
載置板係合部３７３は、載置板保持アーム３７１の端部に形成されている。載置板係合部３７３は、可動載置板２１の載置板被係合部２１３に対して係合および離脱が可能である。
【００５２】
付勢部３７５は、載置板保持アーム３７１を装着方向Ｄ２に対して前方側に付勢している。
【００５３】
次に、図６から図８を参照して押動部３０の動作について説明する。図６は、（Ａ）〜（Ｄ）が図２の引出状態ＰＡ２にある給紙装置１００のＢ―Ｂ線における断面図であり、（Ｅ）は図３の装着状態ＰＡ１にある給紙装置１００のＤ―Ｄ線における断面図である。図７は、（Ａ）〜（Ｄ）が図２の引出状態ＰＡ２にある給紙装置１００のＣ―Ｃ線における断面図であり、（Ｅ）は図３の装着状態ＰＡ１にある給紙装置１００のＥ―Ｅ線における断面図である。図６と図７の（Ａ）〜（Ｄ）は対応しており、それぞれ同じ動作状態における給紙装置１００を異なる方向から見た断面図である。また、図８の（Ａ）〜（Ｄ）は、それぞれ図７の（Ａ）〜（Ｄ）に対応する押動保持部３５および載置板保持部３７付近を拡大した断面図である。
【００５４】
まず、図６を参照して、押動部３０の回動部３１、および可動載置板２１の動作について説明する。図６（Ａ）から図６（Ｄ）では、給紙カセット１０は引出状態ＰＡ２であり、図６（Ｅ）では、給紙カセット１０は装着状態ＰＡ１である。回動部３１の姿勢は、給紙カセット１０が引出状態ＰＡ２である場合において、押動状態ＰＢ１と退避状態ＰＢ２とを切り替え可能であり、非給紙状態ＰＣ２の可動載置板２１を下方に向けて押動操作することにより、回動部３１の姿勢が退避状態ＰＢ２から押動状態ＰＢ１に切り替えられるように構成されている。
【００５５】
図６（Ａ）では、回動部３１は退避状態ＰＢ２の姿勢であり、可動載置板２１は非給紙状態ＰＣ２である（給紙カセット１０が引出状態ＰＡ２において、可動載置板２１が下げられた状態である）。
【００５６】
図６（Ｂ）および図６（Ｃ）は、可動載置板２１が使用者の手指等によって下方（矢印Ｆの方向）に向けて押動操作されている状態を示している。図６（Ｃ）では、可動載置板２１が図６（Ｂ）の状態よりも更に下方に押動操作され、完全に押し下げられた状態を示している。
【００５７】
図６（Ｂ）に示すように、可動載置板２１が下方に向けて押動操作されることにより、可動載置板２１は回動部３１の係合部３１３に接触する。係合部３１３が下方に押動されることにより、回動部３１が第２方向（図４参照）に回動し、作用部３１１が上昇することにより、押動部３０は退避状態ＰＢ２から押動状態ＰＢ１に切り換えられる。
【００５８】
図６（Ｃ）に示すように、可動載置板２１がさらに下方に向けて押動操作されることにより、回動部３１は第２方向（図４参照）にさらに回動する。
【００５９】
図６（Ｄ）は、使用者が可動載置板２１から手指等を離し、押動操作を停止させた状態を示している。可動載置板２１に対する押動操作が行われなくなることで、可動載置板２１は、付勢部２１１の付勢力により、非給紙状態ＰＣ２の位置まで戻っているが、回動部３１の姿勢は、押動状態ＰＢ１に切り替えられた状態が維持されている。
【００６０】
図６（Ｅ）では、給紙カセット１０は、引出状態ＰＡ２から給紙カセット装着部２０６に装着された装着状態ＰＡ１に移行されている。給紙カセット１０が装着状態ＰＡ１に移行されることにより、回動部３１の姿勢は、押動状態ＰＢ１から退避状態ＰＢ２に切り換えられている。また、可動載置板２１も非給紙状態ＰＣ２から給紙状態ＰＣ１に切り換えられている。
【００６１】
次に、図６から図８を参照して押動部３０（回動部３１、押動保持部３５）、可動載置板２１、および載置板保持部３７の動作について説明する。
【００６２】
図６（Ａ）では、回動部３１は退避状態ＰＢ２の姿勢であり、可動載置板２１は非給紙状態ＰＣ２である。また、図７（Ａ）および図８（Ａ）に示すように、押動保持部３５は、解除状態ＰＤ２の位置にあり、押動保持部３５の押動係合部３５３と回動部３１の回動アーム３１０はまだ係合していない状態である。載置板保持部３７は保持状態ＰＥ１であり、可動載置板２１の載置板被係合部２１３に載置板係合部３７３が係合して可動載置板２１が上昇しないようにロックしており、可動載置板２１を非給紙状態ＰＣ２に保持している。
【００６３】
図６（Ｂ）では、可動載置板２１が使用者の手指等によって下方（矢印Ｆの方向）に向けて押動操作されている。図７（Ｂ）および図８（Ｂ）に示すように、押動保持部３５は解除状態ＰＤ２の位置にあり、押動係合部３５３は、回動アーム３１０にまだ係合していない。
【００６４】
図６（Ｃ）では、可動載置板２１が図６（Ｂ）の状態よりも更に下方に押動操作され、完全に押し下げられた状態を示している。図７（Ｃ）および図８（Ｃ）に示すように、押動係合部３５３が回動アーム３１０に係合して、押動保持部３５が保持状態ＰＤ１となることにより、回動部３１の姿勢は押動状態ＰＢ１に保持される。なお、押動状態ＰＢ１における作用部３１１の上昇量は、収容部２０に用紙Ｐを満載させた状態で給紙カセット１０を装着状態ＰＡ１に移行させる際に、用紙Ｐが給紙カセット装着部２０６に干渉しないように設定されている（図６Ｃ参照）。
【００６５】
図６（Ｄ）は、使用者が可動載置板２１から手指等を離し、押動操作を停止させた状態を示している。図７（Ｄ）および図８（Ｄ）に示すように、可動載置板２１に対する押動操作が行われなくなることで、可動載置板２１は、付勢部２１１の付勢力により、載置板被係合部２１３に載置板係合部３７３が係合するまで回転して、可動載置板２１は非給紙状態ＰＣ２の位置でロックされる。一方、押動係合部３５３が回動アーム３１０に係合して、押動保持部３５が保持状態ＰＤ１となっていることにより、回動部３１の姿勢は、可動載置板２１に対する押動操作が行われなくなっても、押動状態ＰＢ１に切り替えられた状態が維持されている。
【００６６】
図６（Ｅ）では、給紙カセット１０は、引出状態ＰＡ２から給紙カセット装着部２０６に装着された装着状態ＰＡ１に移行されている。給紙カセット１０が装着状態ＰＡ１に移行されることにより、回動部３１の姿勢は、押動状態ＰＢ１から退避状態ＰＢ２に切り換えられている。また、可動載置板２１も非給紙状態ＰＣ２から給紙状態ＰＣ１に切り換えられている。
【００６７】
図７（Ｅ）および図８（Ｅ）に示すように、給紙カセット１０が装着状態ＰＡ１に移行されることにより、押動保持部３５および載置板保持部３７は、給紙カセット装着部２０６の内壁に接触する。このため、押動保持部３５および載置板保持部３７は、それぞれ給紙カセット１０に対して相対的に引出方向Ｄ１に移動し、押動保持部３５は保持状態ＰＤ１が解除されて解除状態ＰＤ２に切り換えられ、載置板保持部３７は保持状態ＰＥ１が解除されて解除状態ＰＥ２に切り換えられる。
【００６８】
押動保持部３５が解除状態ＰＤ２に切り換えられることにより、押動係合部３５３と回動アーム３１０との係合が解除され、回動部３１は付勢部３１７の作用によって第１方向（図４参照）に回動し、押動部３０は押動状態ＰＢ１から退避状態ＰＢ２に切り換えられる。
【００６９】
また、載置板保持部３７が解除状態ＰＥ２に切り換えられることにより、載置板被係合部２１３と載置板係合部３７３との係合が解除され、可動載置板２１は、非給紙状態ＰＣ２から給紙状態ＰＣ１に切り換えられる。
【００７０】
以上説明したように、実施形態１に係る給紙装置１００によれば、給紙カセット１０が引出状態ＰＡ２にある場合において、押動部３０を退避状態ＰＢ２から押動状態ＰＢ１切り替え可能である。このため、押動部３０を押動状態ＰＢ１に切り換えることによって用紙Ｐの第１端部Ｅ１を上昇させることができ、収容された用紙Ｐを取り出す際に用紙Ｐの下方に手指を容易に入れることができる。また、給紙カセット１０が引出状態ＰＡ２から装着状態ＰＡ１に移行されることにより、押動部３０は、押動状態ＰＢ１から退避状態ＰＢ２に切り替えられ、用紙Ｐの第１端部Ｅ１を上昇させない状態になるため、用紙Ｐの変形を抑制することができる。このため、収容された用紙Ｐが変形することによる給紙時の負荷を抑制するとともに、収容された用紙Ｐを容易に取り出すことができる。
【００７１】
〔実施形態２〕
次に本発明の実施形態２に係る給紙装置１００Ａについて説明する。図９は、実施形態２に係る給紙装置１００Ａの給紙カセット装着部２０６および給紙カセット１０Ａの平面断面図である。図９は、図３と同様の位置における給紙装置１００Ａの断面図であり、給紙装置１００Ａの給紙カセット１０Ａが給紙カセット装着部２０６に装着された装着状態ＰＡ１を示している。以下の説明において、実施形態１と同様の構成には同一の符号を付して説明を省略し、実施形態１と異なる構成についてのみ説明する。
【００７２】
図９に示すように、給紙装置１００Ａでは、押動部３０Ａは、第１端部Ｅ１の両端ではなく、第１端部Ｅ１と第２端部Ｅ２が成す角部Ｃ１付近を押動するように構成されている。このため、用紙Ｐを取り出す際には、手指を用紙Ｐの角部Ｃ１の下方に入れることができ、容易に用紙Ｐを取り出すことができる。
【００７３】
〔実施形態３〕
次に本発明の実施形態３に係る給紙装置１００Ｂについて説明する。図１０は、実施形態３に係る給紙装置１００Ｂの給紙カセット装着部２０６および給紙カセット１０Ｂの平面断面図である。図１０は、図３と同様の位置における給紙装置１００Ｂの断面図であり、給紙装置１００Ｂの給紙カセット１０Ｂが給紙カセット装着部２０６に装着された装着状態ＰＡ１を示している。
【００７４】
図１０に示すように、実施形態３に係る給紙装置１００Ｂでは、開口部２７Ｇは、用紙Ｐが収容される収容領域の外側まで形成されている。図１０では、用紙Ｐの外側まで開口部２７Ｇが形成されている。このため、用紙Ｐを取り出す際に手指を用紙Ｐの下方に入れることができ、容易に用紙を取り出すことができる。
【００７５】
〔他の実施形態〕
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００７６】
例えば、上記実施形態では、押動部は第１端部Ｅ１の両端（実施形態１）、第１端部Ｅ１と第２端部Ｅ２が成す角部Ｃ１付近（実施形態２）を押動するとしたが、これに限定されず、押動部は第１端部Ｅ１の中央部付近のように他の部分を押動してもよい。また、実施形態３では、開口部は用紙Ｐが収容される収容領域の外側まで形成されるとしたが、このような開口部の形状の変形と、押動部で用紙を押す位置の変形を組み合わせてもよい。
【産業上の利用可能性】
【００７７】
本発明は、給紙カセットを備えた給紙装置、および給紙装置を備えた画像形成装置に適用することが可能である。
【符号の説明】
【００７８】
１００    給紙装置
２００    画像形成装置
１０      給紙カセット
２０      収容部
３０      押動部
Ｄ１      引出方向
Ｄ３      給紙方向
ＰＡ１    装着状態
ＰＡ２    引出状態
ＰＢ１    押動状態
ＰＢ２    退避状態
【図１】
2020015593.tif 000003
【図２】
2020015593.tif 000004
【図３】
2020015593.tif 000005
【図４】
2020015593.tif 000006
【図５】
2020015593.tif 000007
【図６】
2020015593.tif 000008
【図７】
2020015593.tif 000009
【図８】
2020015593.tif 000010
【図９】
2020015593.tif 000011
【図１０】
2020015593.tif 000012